Podtech/llm-jp-corpus-v4-ja_patent huggingface dataset:
(57)【要約】【課題】バイオマスから、より多くのメタンガスを回収することができるなどして、バイオマス資源の高効率な利用を実現することができる、バイオマス資源の高効率利用方法を提供する。【解決手段】バイオマスをメタン発酵処理して得られるメタンガスを、該メタン発酵処理によって生じた残渣及び消化液を水熱処理して得られるメタンガスと併せて回収する。更に、水熱処理でメタンガス以外に得られたもののうちの、有機酸と油を除く残渣及び水溶液は、乾燥後、炭化処理して炭化物にして回収する。【選択図】      図１
2008043902.tif 000002
【特許請求の範囲】
【請求項１】
バイオマスをメタン発酵処理して得られるメタンガスを、該メタン発酵処理によって生じた残渣及び消化液を水熱処理して得られるメタンガスと併せて回収することを特徴とするバイオマス資源の高効率利用方法。
【請求項２】
前記水熱処理でメタンガス以外に得られたもののうちの、有機酸と油を除く残渣及び水溶液を、乾燥後、炭化処理して炭化物にして回収する請求項１に記載のバイオマス資源の高効率利用方法。
【発明の詳細な説明】
【技術分野】
【０００１】
本発明は、バイオマス資源の高効率利用方法に関する。
【背景技術】
【０００２】
バイオマス資源の利用方法して、有機性廃棄物などのバイオマスをメタン発酵処理し、得られたメタンガスを回収し、これを発電機燃料などとして用いることは、従来より行われている。
【特許文献１】特開２００１−２７６７７２号公報
【発明の開示】
【発明が解決しようとする課題】
【０００３】
しかしながら、バイオマスをメタン発酵処理して得られるメタンガスの量は一般的に言ってかなり少なく、そのため、メタン発酵の処理をするのみでは、バイオマス資源の利用方法としては効率の良い利用方法とはいえない。
【０００４】
また、メタン発酵処理によって得られる消化液等は、有効活用されることなく、薬剤の投入、汚泥処理等の処理後、捨てられていて、そのための処理コストがイニシャルコストとランニングコストを含めて高いものについてしまう。
【０００５】
本発明は、上記のような問題点に鑑み、バイオマスから、より多くのメタンガスを回収することができて、バイオマス資源の高効率な利用を実現することができる、バイオマス資源の高効率利用方法を提供することを課題とする。
【課題を解決するための手段】
【０００６】
上記の課題は、バイオマスをメタン発酵処理して得られるメタンガスを、該メタン発酵処理によって生じた残渣及び消化液を水熱処理して得られるメタンガスと併せて回収することを特徴とするバイオマス資源の高効率利用方法によって解決される。
【０００７】
このシステムでは、バイオマスから、メタン発酵処理によって得られるメタンガスと、水熱処理によって得られるメタンガスの両方を回収するようにしているので、バイオマスから、より多くのメタンガスを回収することができ、バイオマス資源の高効率な利用を実現することができる。
【０００８】
上記の方法において、前記水熱処理でメタンガス以外に得られたもののうちの、有機酸と油を除く残渣及び水溶液を、乾燥後、炭化処理して炭化物にして回収するのもよい。
【０００９】
この場合は、水熱処理でメタンガス以外に得られたもののうちの、有機酸と油を除く残渣及び水溶液を、乾燥後、炭化処理して炭化物にして回収するようにしているので、その炭化物を様々な用途に有効利用することができて、バイオマス資源のより一層高効率な利用を実現することができ、水熱処理でメタンガス以外に得られたもののうちに、有機酸及び／又は油が含まれていれば、それを分別回収すれば、バイオマス資源の更に一層高効率な利用を実現することができる。
【発明の効果】
【００１０】
本発明は、以上のとおりのものであるから、バイオマスから、より多くのメタンガスを回収することができ、バイオマス資源の高効率な利用を実現することができて、最終的な残渣を少なくする、あるいは、なくすことができて、無用な廃棄処理コストを抑えることができる。
【発明を実施するための最良の形態】
【００１１】
次に、本発明の実施最良形態を図面に基づいて説明する。
【００１２】
本実施形態の方法では、図１に示すように、有機性廃棄物などのバイオマスを粉砕・破砕部１０にて細かくした後、これをメタン発酵部１にて発酵温度２５〜８０°Ｃで加熱発酵し、得られたメタンガスをメタンガス回収部２に回収する。
【００１３】
次いで、上記のメタン発酵処理で生じた残渣及び消化液を水熱処理部３において水熱処理し、得られたメタンガスを上記のメタンガス回収部２に回収する。
【００１４】
また、上記の水熱処理でメタンガス以外に得られたもののうちに、有機酸や油が含まれている場合には、それを分別して回収する。油が回収できた場合には、その油は、バイオディーゼル燃料油などとして有効利用することができる。有機酸ももちろん活用可能である。
【００１５】
そして、メタンガス以外に得られたもののうち、有機酸と油を除く残渣及び水溶液については、これを、乾燥部４において、水熱処理部３からの排熱を利用して１１０°Ｃ以上に加熱して水分を除去し、得られた残渣を、炭化部５において非酸化性雰囲気下で３２０〜８５０°Ｃの温度で加熱して炭化処理し、得られた炭化物を回収する。回収された炭化物が様々なかたちでさまざまな用途に有効活用できることはいうまでもない。また、上記のように、乾燥部４における乾燥処理において、水熱処理部３からの排熱を利用することで、処理に要するエネルギーコストを低く抑えることができる。
【００１６】
この炭化処理でメタンや水素を主体とするエネルギーガスが生成される場合は、ガス改質部６において、それらを改質処理することで、燃料電池、ボイラ発電用燃料などに用いることができる。
【００１７】
このように、上記の方法では、メタン発酵処理によって得られるメタンガスと、水熱処理によって得られるメタンガスの両方を回収するようにしているので、バイオマスから、より多くのメタンガスを回収することができ、バイオマス資源の高効率な利用を実現することができる。
【００１８】
しかも、上記の水熱処理においては、メタンガス以外に得られたもののうちの、有機酸と油を除く残渣及び水溶液を、乾燥後、炭化処理して炭化物にして回収するようにしているので、その炭化物を様々な用途に有効利用することができて、バイオマス資源のより一層高効率な利用を実現することができる。
【００１９】
更に、水熱処理でメタンガス以外に得られたもののうちに、有機酸及び／又は油が含まれている場合には、それらを上記のように分別回収するようにしているので、バイオマス資源の更に一層高効率な利用を実現することができる。
【００２０】
また、炭化処理でメタンや水素を主体とするエネルギーガスが生成される場合は、それを改質処理するようにしているので、得られたものを有効活用することができて、バイオマス資源の更に一層高効率な利用を実現することができる。
【図面の簡単な説明】
【００２１】
【図１】実施形態の方法を示す説明図である。
【符号の説明】
【００２２】
１…メタン発酵部
２…メタンガス回収部
３…水熱処理部
４…乾燥部
５…炭化部
【図１】
2008043902.tif 000003
(57)【要約】【課題】海水を噴霧することで蒸発させ、塵状に固体化した塩分を分離した後の水蒸気を液化することで淡水を得る装置を提供する。【解決手段】海水を、ベンチュリー管（２）又はインジェクター（３）を使って噴霧し蒸発させ、塵状に固体化した塩分をサイクロン（４）及びフィルター（５）で分離した後の水蒸気を液化する。蒸発効率を上げるため、コンプレッサー（１）で圧縮して気体温度を上げ、液化効率を上げるため、ベンチュリー管（６）に通し気圧を低下させ気体温度を下げる。【選択図】図１
2008043933.tif 000002
【特許請求の範囲】
【請求項１】
１個又は複数のコンプレッサー（１）で圧縮して温度を上げた空気に、１個又は複数のベンチュリー管（２）或いはインジェクター（３）を使って、海水を噴霧し蒸発させ、塵状に固体化した塩分を１個又は複数の、サイクロン（４）及びフィルター（５）で分離した後、水蒸気を多量に含んだ空気を１個又は複数のベンチュリー管（６）に通すことで、気圧低下に伴う気温低下により液化する淡水を取り出す。
【発明の詳細な説明】
【技術分野】
【０００１】  この発明は、圧縮によって高温にした空気に噴霧することで効率よく海水を蒸発させ、塵状に固体化した塩分を分離した後の水蒸気を、気圧低下に伴う温度低下によって液化することで淡水を得る装置に関するものである。
【背景技術】
【０００２】（イ）従来の海水淡水化は、ボイラーで海水を加熱して蒸発させるものだった。
（ロ）海水淡水化の別の方法は、膜濾過によって塩分を分離するものだった。
（ハ）従来の製塩は、イオン交換膜によって塩を精製するものだった。
（ニ）製塩についての別の方法は、塩田で海水を自然蒸発させるものだった。
【発明の開示】
【発明が解決しようとする課題】
【０００３】  これは次のような欠点があった。
（イ）海水をボイラーで加熱する方法では、今後不足が予測される石油を大量に消費し二酸化炭素を大量に放出する。
（ロ）膜濾過の方法では、この膜が先端技術であり製造業者が限られており、設備費用も高いため広く普及することが出来ない。
（ハ）イオン交換膜による製塩方では、電気を大量に消費するためコストが高い。
（ニ）塩田の方法では、自然蒸発に頼るため製塩までに時間がかかる。
本発明は、これらの欠点を除くためになされたものである。
【課題を解決するための手段】
【０００４】  １個又は複数のコンプレッサー（１）で圧縮して温度を上げた空気に、１個又は複数のベンチュリー管（２）或いはインジェクター（３）を使って、海水を噴霧し蒸発させ、塵状に固体化した塩分を１個又は複数の、サイクロン（４）及びフィルター（５）で分離した後、水蒸気を多量に含んだ空気を１個又は複数のベンチュリー管（６）に通すことで、気圧低下に伴う気温低下により液化する淡水を取り出す。
本発明は、以上のような構成よりなる海水淡水化装置兼製塩装置である。
【発明の効果】
【０００５】  本発明の装置は構成がシンプルで先端技術も使用しないことから、製造コストが低く押えられるため広く普及させることができる。今後世界で深刻化を増す水不足、或いは砂漠化進行に対抗するための有効な装置となる。
また、この装置から得られる大量の塩は、中国他の工業化の進展で世界的に高まっている工業塩の需要を満たすことができる。
【発明を実施するための最良の形態】
【０００６】  以下、本発明を実施するための最良の形態について説明する。
１個又は複数のコンプレッサー（１）で圧縮して温度を上げた空気に、１個又は複数のベンチュリー管（２）或いはインジェクター（３）を使って、海水を噴霧し蒸発させ、塵状に固体化した塩分を１個又は複数の、サイクロン（４）及びフィルター（５）で分離した後、水蒸気を多量に含んだ空気を１個又は複数のベンチュリー管（６）に通すことで、気圧低下に伴う気温低下により液化する淡水を取り出す。
本発明は以上のような構造で、これを使用するときは、本発明の装置を多数併せて大規模な水道水供給設備、又は灌漑用水供給設備を作ることができる。又、小規模な装置で、例えば船舶等の飲料水供給設備のようなものも提供することができる。
乾燥地での使用が多くなるが、太陽光発電を活用することで二酸化炭素排出を伴わずに淡水と塩を得ることができる。
【図面の簡単な説明】
【０００７】
【図１】本発明の断面図である。
【図２】ベンチュリー管（２）の代わりにインジェクター（３）を用いる部分断面図である。
【図３】本発明の使用状態を示す断面図である。
【符号の説明】
【０００８】１  コンプレッサー
２  ベンチュリー管
３  インジェクター
４  サイクロン
５  フィルター
６  ベンチュリー管
【図１】
2008043933.tif 000003
【図２】
2008043933.tif 000004
【図３】
2008043933.tif 000005
(57)【要約】【目的】  本発明は海水に含まれる天然のミネラル分と磯の香りと塩味により、健康に有効で、美味しく、環境に優しく、便利な、海水でとぎ洗いして乾燥した海水ミネラル分を付加した無洗米の製造方法に関するものである。【構成】精白米を天然のミネラル分を含み汚染されていない海水で肌糠の白汁が見えなくなる程度にとぎ洗いし自然乾燥や強制乾燥により乾燥して密封性の良い保存袋に入れた海水で洗ってミネラル分を付加した無洗米の製造方法と米と一処に入れて炊飯すると含有ミネラル分や食味や還元作用等によりご飯が美味しくなると言われている炭や海藻などを乾燥させて海水でとぎ洗いして乾燥した米と一処に保存袋に入れパック化した海水で洗って乾燥した無洗米の製造方法。【特許請求の範囲】
【請求項１】
精白米を塩分濃度２パーセントから３パーセント程度で天然のミネラル分を含み汚染されていない海水で約１時間以内にて肌糠の白汁が見えなくなる程度にとぎ洗いし天日による自然乾燥や乾燥機による強制乾燥により含水率１０パーセント程度以上に乾燥して密封性の良い保存袋に入れた海水で洗って乾燥した海水ミネラル分を付加した無洗米の製造方法。
【請求項２】
米と一処に入れて炊飯すると含有ミネラル分や食味や還元作用等によりご飯が美味しくなると言われている木炭や竹炭などの炭や昆布や若布などの海藻などを乾燥させて海水でとぎ洗いして乾燥した米と一処に保存袋に入れパック化した請求項１記載の海水で洗って乾燥した海水ミネラル分を付加した無洗米の製造方法。
【発明の詳細な説明】
【技術分野】
【０００１】  人間は海に発生した生命体が進化し、陸上に移り住んだ動物で、祖先はこの進化する過程で海水を体液として体内に取り込み、これを保持することで環境バランスをとってきたと言われており、海水ミネラルは人間の体液と成分構成がよく似ています。【０００２】  本発明は海水に含まれる天然のミネラル分と磯の香りと塩味により、健康に有効で、美味しく、環境に優しく、便利な、海水でとぎ洗いして乾燥した海水ミネラル分を付加した無洗米の製造方法に関するものである。
【背景技術】
【０００３】  従来、各家庭での精白米のとぎ洗いは水道水などの真水を使う場合が一般的であったし、とぎ洗いせず水を入れるだけで炊ける無洗米においては数多くの方法や装置等の技術が開発され特許や実用新案等にも出願、公開、登録されているが精白米を海水でとぎ洗いして乾燥した無洗米の製造技術に関して公示された文献はなかった。【０００４】  主な無洗米製法技術としては、ＢＧ精米製法で機械的に肌糠を取る方式やＮＴＷＰ加工法で米の表面の肌糠を少量の水で濡らし、粒状のタビオカで取る方式や水洗い乾燥法で肌糠を水で洗い落とし乾燥させる方法などがあるが、天然のミネラル分や食味を付加した無洗米の製造技術は開発されていなかった。
【発明が解決しようとする課題】
【０００５】  炊飯のための精白米のとぎ洗いは水道水などの真水が使われており、単に真水による肌糠の除去手段のみの適用であったし、各家庭でのとぎ洗い削減や洗水量削減や汚水による環境汚染防止や利便性等を目的とした無洗米に於ても肌糠の除去手段であり、ミネラル分や食味を付加向上するものではなかった。
【課題を解決する手段】
【０００６】  本問題を解決する基本的手段を説明すれば、
請求項１については精白米を塩分濃度２パーセントから３パーセント程度で汚染されていないミネラル分含有の海水で、乾燥後の米のひび割れ防止や海水の浸透程度による適度な旨味性のため約１時間以内にて肌糠の白汁が見えなくなる程度にとぎ洗いして肌糠を除去した後に自然天日あるいは乾燥機械により含水率１０パーセント程度以上に乾燥し保存性を向上させて保存袋に密封した海水で洗って乾燥した無洗米の製造方法である。
【０００７】  請求項２については米と一処に入れて炊飯するとミネラル分や還元作用や食味などによりご飯が美味しくなると言われている木炭や竹炭などの炭や昆布や若布などの海藻などを乾燥させて種類別に海水でとぎ洗いして乾燥した無洗米と一処に保存袋に入れ密封した海水で洗って乾燥した無洗米の製造方法である。
【作用】
【０００８】  次に本発明の作用を述べると、
請求項１について汚染されていないミネラルタップリの海水で精白米をとぎ洗いするため肌糠の除去は勿論のこと米のうまみ層や米全体にミネラル分や磯の香りや塩味が浸み込む作用であり、天然ミネラルの栄養価が高く美味しい無洗米となる。
【０００９】  また精白米のとぎ洗い時間を１時間以内にしたのは乾燥時の米のひび割れ防止と海水の適度の浸透による旨味の向上をはかったものである。
【００１０】  米の品種により若干の差異はあるが、炊飯する際は米の量の約１２０パーセント程度の水を入れることにより、乾燥した米に浸透及び付着していたミネラル分や塩分等の旨味分と有効に融合して磯の味がする美味しいご飯が炊ける作用である。
【００１１】  請求項２については、ミネラル分の栄養価が高く磯味や塩味の美味しい無洗米に、よりご飯を美味しくするミネラル分や還元作用や食味がある炭や海藻が一処に入っているため利便性が良くただ開封して真水を注ぐだけで請求項１の作用に付加するより美味しいご飯が炊ける作用である。
【発明を実施するための最良の形態】
【００１２】  請求項１についての具体実施例を述べれば、
（イ）塩分濃度２パーセントから３パーセント程度の汚染されていない綺麗な海水でとぎ洗いやつけ置き時間を１時間以内に規定して肌糠の白汁が見えなくなる程度にとぎ洗いします。
（ロ）精白米のとぎ洗いにより海を汚染させない施策や手段を施す。
（ハ）とぎ洗いした米を水切りして、天日自然乾燥や乾燥機による強制乾燥により含水率１０パーセント程度とします。
（ニ）乾燥した米を密封性の良い保存袋に入れます。
（ホ）炊飯の際は水を入れるだけである。【００１３】  請求項２についての具体実施例を述べれば、
（イ）請求項１記載の海水でとぎ洗いして乾燥した無洗米に、炊飯の際に入れておくとご飯が美味しくなると言われている木炭や竹炭などの炭や昆布や若布などの海藻を入れて密封性の良い保存袋にパック化します。
（ロ）パックは一人用、二人用など一キログラム以下の小パック型とします。
【効果】
【００１４】  本発明の請求項１により、天然のミネラルタップリで磯の香りと食味がする美味しいご飯を簡単に食することができます。特に海水に含まれるミネラル分はマグネシウム、カルシウム、カリウム、亜鉛、ヨウ素、鉄、マンガン、銅等で、これら海のミネラルには母胎内に帰るように体の活力を回復させ、健康を維持する重要な作用があると言われていますし、海水から抽出したミネラル分に癌細胞の増殖を抑える働きがあることを、日米の研究グループが突き止め「将来の腫瘍学及び腫瘍治療学国際シンポジウム」で報告されました。
【００１５】  本発明の請求項２により、請求項１による効果の他に炊飯のご飯をより美味しくする触媒的役割を果たす炭や海藻と海水で洗って乾燥した米のパック化により、より美味しいご飯をより容易に食することができます。
【００１６】  本発明の海水で洗って乾燥した無洗米、すなはち自称海洗米は便利性や環境性を目的とした無洗米の長所に天然のミネラル分による健康性と磯味の食味性と塩分による保存性の向上を付加した自然豊な加工米であり、食生活の変化などにより米離れが進む今日、米の市場拡大を推進し健康で明るく楽しい社会づくりに大きく貢献するものであります。
(57)【要約】【課題】従来、散歩中の犬のフンの後始末は、犬の綱を持ったまましゃがんで、地面に落ちたフンを紙で包んで拾い、さらに袋に入れるなど非常に不便であった。このような不都合を解決する事を課題とする。【解決手段】先端にフンを受ける袋を取り付けた、本発明品を用いる事によって解決する。犬が排便体勢に入った時に、本発明品の先端を開き、犬の股下に差し入れれば、人間はしゃがむ事なく犬のフンを受けることができる。使用していない時は、袋の開口部を閉めて持ち歩くことができ、臭いを外に出すこともない。また、地面に落ちたフンでも、本発明品を裏返し、はさみ込む様に使用する事によって拾うことができる。【選択図】図２
2008043320.tif 000002
【特許請求の範囲】
【請求項１】
ハサミ型の形状であることを特徴とする犬の散歩用トイレ
【請求項２】
レジ袋を簡単に取り付けられる形状の突起をもつことを特徴とする犬の散歩用トイレ
【発明の詳細な説明】
【技術分野】
【０００１】  本発明は、犬の散歩用トイレに関するものであり、器具の形状に工夫を加える事によって、人間に負担を掛けることなく犬のフンを取りやすくしたものである。
【背景技術】
【０００２】  従来、散歩中の犬のフンは、地面に落ちたものを紙で包んで拾うなどしていた。
【発明の開示】
【発明が解決しようとする課題】
【０００３】  しかし、犬の綱を保持したまま、しゃがんで地面に落ちたフンを紙等で包んで拾い、さらに袋に入れなければならないなどの面倒があり非常に不便である。本発明は、このような不都合を解決する事を課題とする。
【課題を解決するための手段】
【０００４】  この課題を解決するための請求項１の発明は、先端にフンを受ける袋を取り付けた、ハサミ型の器具である。犬が排便体勢に入った時に、本器具の先端を開き、犬の股下に差し入れれば、人間はしゃがむ事なく犬のフンを受ける事ができる。【０００５】  また、請求項２の発明は、袋を取り付ける先端の突起を、突起部２の様な形状にしたことを特徴とする犬の散歩用トイレである（図面参照）。不要になったスーパーやコンビニのレジ袋が活用できる。また、袋を取り付ける方法は簡単であるにもかかわらず、本器具を開くと自然に袋も開くような形状となっており、なおかつフンを受けるときはもちろん、先端を下向きにして持ち歩いても、容易に袋が外れることの無いような形状になっている。また、地面に落ちたフンであっても、この器具を裏返し、フンをはさみ込む様にして拾うこともできる。
【発明の効果】
【０００６】  本発明により、地面に落ちたフンをしゃがんで拾うなどの面倒は起きず、また使用していないときは、袋の開口部すなわち器具の先端を閉めて持ち歩くことができ、臭いがすることもない。
【発明を実施するための最良の形態】
【０００７】  本発明に係る犬の散歩用トイレ１は、図１に示すように、先端部分にレジ袋等を保持するための突起部２を持ち、全体としてハサミ型の形状を有する。【０００８】  図２は、先端の突起部２にレジ袋３を取り付けた、本発明の使用時の様子を表した図である。同図に示すように、先端に設けられた突起部２にレジ袋３などを取り付け、先端を開き、排便時の犬の股下に差し入れることにより、人間がしゃがむことなく、容易に犬のフンを取ることができる。【０００９】  図３は先端の突起部２への袋３の取り付け方を表している。
【実施例】
【００１０】  実施例として［図２］を使用する。【００１１】  フンを受ける袋は、不要になったスーパーやコンビニのレジ袋でよい。
【産業上の利用可能性】
【００１２】  本発明に係る犬の散歩用トイレは工業的に量産する事が可能であるため、産業上の利用可能性を有する。
【図面の簡単な説明】
【００１３】
【図１】  ハサミ型の形状を有する犬の散歩用トイレの三面図である。
【図２】  先端の突起部２にレジ袋３を取り付けた、本発明の使用時の様子を表した図である。
【図３】  先端の突起部２への袋３の取り付けかたを表す図である。
【符号の説明】
【００１４】  １    犬の散歩用トイレ本体
２    突起部
３    レジ袋
【図１】
2008043320.tif 000003
【図２】
2008043320.tif 000004
【図３】
2008043320.tif 000005
(57)【要約】【課題】  この発明は、ネズミを捕獲する方法として、粘着シートとカバーを落下させる捕獲器具に関するものである。【解決手段】捕獲器基盤（１）上に粘着シート（２）の片側を止め、逆側は可動式のストッパー（３）で保持する。ネズミの動き（重さ）を利用してストッパーをはずし、粘着シートを、その上に載せたカバー（枠）（４）と共に落下させてネズミを捕獲する器具。【選択図】図１
2008043317.tif 000002
【特許請求の範囲】
【請求項１】
捕獲器基盤（１）上に粘着シート（２）の片側を止め、逆側は可動式のストッパー（３）で保持する。ネズミの動き（重さ）を利用してストッパーをはずし、粘着シートをカバー（枠）（４）と共に落下させてネズミを捕獲する器具。
【発明の詳細な説明】
【発明の詳細な説明】
【技術分野】
【０００１】この発明は、ネズミを捕獲する方法として、粘着シートとカバーを落下させる捕獲器具に関するものである。
【背景技術】
【０００２】従来、ネズミを捕獲するに当たって、捕獲器具（ワナ）と粘着シートが使われてきた。
【発明が解決しようとする課題】
【０００３】  ・捕獲器具（ワナ）の問題点
捕獲器具でネズミを捕獲する方法は、餌によりネズミをおびき寄せ、狭い入口より誘いこみ、入口を閉じる手法が使われる。このため、ネズミは警戒感を持ち、なかなか捕獲が困難であり、またネズミは知能が発達しているため、捕獲された仲間を見た他のネズミは学習効果により、決して捕まえることは出来なかった。また、捕らえたネズミの処理が難しい欠点もあった。
・粘着シートの問題点
粘着シートを下に置く方法による捕獲については、次のような欠点がある。
▲１▼置いておくと、人間がくっついてしまうことがある。
▲２▼ゴキブリ、ヤモリなど、他の昆虫が多く付着し、ネズミは警戒してしまう。
▲３▼ホコリなどもたまり、粘着力がすぐに落ちてしまう。
▲４▼また、稀にネズミが捕獲できても、それを見た他のネズミは、学習効果により、次にはなかなか捕獲困難である。
【課題を解決するための手段】
【０００４】捕獲器基盤上に、粘着シートの片側をストッパーで保持させ、ネズミの動き（重さ）を利用してストッパーをはずし、粘着シートを、その上に載せたカバー（枠）と共に落下させてネズミを捕獲する。
【発明を実施するための最良の形態】
【０００５】捕獲器の本体（１）端に支柱（５）を立て、上部に粘着シート（２）の片側を保持させるためのストッパー（３）を取り付ける。捕獲器の逆の端には、粘着シートの片端を止める板（６）とえさ箱（７）を設置する。えさ箱は、逆（へ）の字のような形態にし、さらに下部より棒状の突起物（８）を付けて、捕獲器本体を貫通させておく。
紐（９）をストッパーの支点逆側に結び付け、ゴム（１０）を介して金具（１１）と結んでおく。別に、粘着シートの上からかぶせるカバー（枠）（４）も用意する。
捕獲器を仕掛ける時は、ストッパーを抑えながら、金具（１１）を突起物（８）にひっかけ、粘着シート（２）をセットする。最後にカバー（枠）（４）を粘着シート（２）の上にかぶせておく。
ネズミがえさ箱に乗ると、逆（へ）の字の餌箱が角を支点として少し回転する。それに伴い、下部の棒状突起は上に上がる。そのため、ひっかかっていた金具がはずれ、同時に粘着シートを保持していたストッパーがはずれるため、粘着シートは落下する。この時、粘着シートにかぶせておいたカバーも同時に落下するため、ネズミは逃げ道を塞がれ脱出することが出来ない。
【発明の効果】
【０００６】粘着シートを、ネズミに上からかぶせて捕らえるというこの方法は、人間が、粘着シートにくっつくことがなく、また、粘着シートがゴキブリやホコリで汚れることもない。また、作動した時は、粘着シートと同時にカバーも落ちてくるため、捕らえたネズミが逃げられないのと同時に、中の様子が外部からは解らないため、ネズミは学習効果を得ることができない。このため、他のネズミも問題なく捕獲することができる。また、捕獲後の処理も、シートを折り曲げて捨てるだけなので手軽である。
【図面の簡単な説明】
【図１】本発明の斜視図
【図２】本発明をセットした時の断面図（カバーを書かない時）
【図３】本発明のネズミを捕獲した時の断面図（カバーを書かない時）
【図４】本発明のネズミを捕獲した時の正面図（カバーを書いた時）
【符号の説明】
（１）捕獲器の本体
（２）粘着シート
（３）ストッパー
（４）カバー（枠）
（５）支柱
（６）片端を止める板
（７）えさ箱
（８）棒状の突起物
（９）紐
（１０）ゴム
（１１）金具
【図１】
2008043317.tif 000003
【図２】
2008043317.tif 000004
【図３】
2008043317.tif 000005
【図４】
2008043317.tif 000006
(57)【要約】【課題】  患部の有用な菌を減らしてしまったり耐性菌を生じてしまう虞のないクオラムセンシングの調節方法を提供する。【解決手段】  白金ナノコロイドを用いる細菌のクオラムセンシング調節方法とする。白金ナノコロイドはコロイドを形成し維持することのできる溶媒、好ましくはポリビニールピロリドン，ポリアクリル酸，及びポリアクリル酸塩，クエン酸，及びクエン酸塩と共に患部若しくは細菌の培養環境に対して接触させて使用する。【選択図】  図１
2008043209.tif 000002
【特許請求の範囲】
【請求項１】
白金ナノコロイドを用いる細菌のクオラムセンシング調節方法。
【発明の詳細な説明】
【技術分野】
【０００１】
本発明は細菌のクオラムセンシング調節方法に関する。
【背景技術】
【０００２】
細菌は密度依存的な遺伝子発現制御機構を持ち、細菌密度が低いうちはシグナル分子の濃度も低いため何も起こらないが細菌密度の上昇に伴いシグナル分子の密度も上昇し、ある一定の濃度に達したときにシグナル伝達が働き出し様々な現象へと誘導される仕組みがクオラムセンシングとして知られている。クオラムセンシングは、それによる細菌の病原性の発現、抗生物質の生産、コンピテンスの獲得が知られており、特に歯科領域においてはS.mutans菌のクオラムセンシングによるバイオフィルム形成，P.gingivalis菌のクオラムセンシングによる歯肉の分解が知られている。
【０００３】
クオラムセンシングを調節する物質、例えばDHCP（4,5−ジヒドロキシ2−シクロペンテン−1−オン）を用いてクオラムセンシングによる害をコントロールする試みも行われている（例えば、特許文献１参照。）。しかしながら、従来のクオラムセンシングの調節剤は同時に強力な抗菌作用を持つために患部の有用な菌をも減らしてしまったり耐性菌を生じてしまう弊害があった。
【特許文献１】特表２００５−５１９６１６号公報
【発明の開示】
【発明が解決しようとする課題】
【０００４】
本発明は、患部の有用な菌を減らしてしまったり耐性菌を生じてしまう虞のないクオラムセンシングの調節方法を提供することを課題とする。
【課題を解決するための手段】
【０００５】
本発明者は前記課題を解決すべく鋭意研究を重ねた結果、白金ナノコロイドは抗菌性が低く有用なクオラムセンシング調整剤であることを見出して本発明を完成した。
【０００６】
即ち本発明は、白金ナノコロイドを用いる細菌のクオラムセンシング調節方法である。
【発明を実施するための最良の形態】
【０００７】
本発明に係る白金ナノコロイドは、一重項酸素除去能を有する物質として従来から知られているものであって、例えば特開平１０−６８００８号，特開２００１−７９３８２号，特開２００５−１３９１０２号，国際公開ＷＯ２００５／０２３４６７号に記載されているもの等が使用できる。白金ナノコロイドの使用方法はコロイドを形成し維持することのできる媒体と共に患部若しくは細菌の培養環境に対して白金ナノコロイドを接触させる。
【０００８】
白金を分散させるための媒体としてはポリビニールピロリドン，ポリアクリル酸，及びポリアクリル酸塩，クエン酸，及びクエン酸塩などが使用できる。口腔内への適用方法としては単に水中に白金ナノコロイドを分散させたものはもちろん，洗口液，または歯磨剤の配合物として適用してもよい。細菌の培養方法としては寒天培地，液体培地，また好気条件，嫌気条件を問わず応用可能である。細菌培養時における白金ナノコロイド適用方法としては，水溶液を0.22μmフィルターを用いてろ過滅菌したものを添加する方法が望ましい。
【実施例】
【０００９】
＜実施例＞
AI（オートインデューサー）-2アッセイを使用した。Vibrio harveyi BB-170株(ATCC Number:BAA-1117)株はクオラムセンシング表現型センサー1-，2+を有する。これは同株の無細胞培養液(オートインデューサー2を含有した培養液)を添加するとクオラムセンシング機構により発光する。
【００１０】
V. harveyi BB-170株をDifco Marine Broth 2216を用いて30℃にて一晩好気培養した。その後、培養液をオートインデューサー・バイオアッセイ培地（AB培地，表１）にて100倍希釈し25℃にて約20時間好気培養した。培養液を遠心分離し回収した上清をフィルターろ過滅菌したものを無細胞培養液とした。本無細胞培養液20μL，V. harveyi BB-170株培養液の2,000倍希釈液180μL，白金ナノコロイド水溶液（クエン酸コーティング白金ナノコロイド：シーテック社製）20μLを96ウェルプレートのウェル内にて混合し30℃にて4時間インキュベートした後、各ウェルの発光量をルミネッセンサーJNR２(ATTO社)を用いて測定した。白金ナノコロイド水溶液については1000μMから8μMの2倍希釈系列を作製して試験に供した。なおAI-2を含まない比較例としては無細胞培養液を含まないAB培地を添加した（-AI-2）。結果を図１に示す。白金ナノコロイドが濃度依存的にV. harveyi BB-170株による発光、即ち、クオラムセンシングを阻害していることが分かる（+AI-2）。
【００１１】
＜表１＞
2008043209.tif 000003
【００１２】
白金ナノコロイドがV. harveyi BB-170株を滅菌することなくクオラムセンシングだけを阻害していることを確認するため、4時間インキュベートした後の生菌数を測定した。生菌数はDifco Marine Agar 2216を用いた寒天平板表面塗抹法により求めた。更には発光量を生菌数で割りV. harveyi BB-170株の1細胞あたりの発光量について算出した。白金ナノコロイドを含まない例を比較例２とした。結果を表２に示す。白金ナノコロイドがV. harveyi BB-170株を滅菌することなく発光、即ちクオラムセンシングのみを効率的に阻害しており、且つクオラムセンシングの阻害は白金ナノコロイドの濃度に依存することが確認できる。
【００１３】
＜表２＞
2008043209.tif 000004
【図面の簡単な説明】
【００１４】
【図１】Vibrio harveyi BB-170株の発光量に対する白金ナノコロイド濃度の関係
【図１】
2008043209.tif 000005
(57)【要約】【課題】ベーコンと魚肉のすり身とを融合させた新規かまぼこの製造方法の提供を目的とする。【解決手段】ベーコンをベース台に広げて載置し、その上に魚肉を主原料とするすり身を層状に広げ、次にベーコンの一端からすり身を挟み込みながらロール状に巻き、このロール状の素材を加熱処理することを特徴とする。【選択図】  図３
2008043286.tif 000002
【特許請求の範囲】
【請求項１】
ベーコンをベース台に広げて載置し、その上に魚肉を主原料とするすり身を層状に広げ、次にベーコンの一端からすり身を挟み込みながらロール状に巻き、このロール状の素材を加熱処理することを特徴とするかまぼこの製造方法。
【発明の詳細な説明】
【技術分野】
【０００１】
本発明は、魚肉を主原料とするかまぼこに関し、特に畜肉製品であるベーコンを融合させた新規かまぼこの製造方法に係る。
【背景技術】
【０００２】
かまぼこは、魚から取り出した魚肉を塩とすりつぶしたすり身を加熱処理してゲル化した魚肉食品である。
この種の水産ねり製品は脂肪含量が少ない点が特徴であるが、畜肉製品が広く食卓に並ぶ現代において、従来のかまぼこに物足りなさを感じる消費者もいる。
【０００３】
特開平９−３７７３９号公報には、ソーセージ入りかまぼこを開示するが、ソーセージの外周面をかまぼこで包み込んだだけのものであり、ホットドックに似た構造をしていてソーセージとかまぼこが食品として融合していないものである。
【０００４】
【特許文献１】特開平９−３７７３９号公報
【発明の開示】
【発明が解決しようとする課題】
【０００５】
本発明は、ベーコンと魚肉のすり身とを融合させた新規かまぼこの製造方法の提供を目的とする。
【課題を解決するための手段】
【０００６】
本発明に係るかまぼこの製造方法は、ベーコンをベース台に広げて載置し、その上に魚肉を主原料とするすり身を層状に広げ、次にベーコンの一端からすり身を挟み込みながらロール状に巻き、このロール状の素材を加熱処理することを特徴とする。
【０００７】
ここで、ベーコンとは豚のばら肉等の畜肉を燻煙処理し、スライスした肉片をいい、肉の種類としては、ばら肉に限らない。
魚肉を主原料とするすり身とは、魚から骨、内臓、皮等を取り除いて魚肉を採り出し、食塩等を加えてすり出した粘ちょうな肉糊にしたものをいい、スケソウダラ等の白身の魚が広く使用されているが、白身の魚に限定されるものではない。
白身の魚の例としては、スケソウダラ、底ダラ類、ホッケ、キチジ、クラズカ、サケ等が挙げられる。
赤身の魚の例としては、イワシ類、サバ、アジ等が挙げられる。
また、魚肉のすり身には副原料として各種調味料、でんぷん類等を添加してもよく、またチーズ等の乳製品を混合してもよい。
【発明の効果】
【０００８】
本発明においては、魚肉を主原料とするすり身をベーコンの間に挟み、ロール状に巻いてベーコン巻きかまぼこを製造することにより、ベーコンの有する脂肪分と魚肉の有する蛋白とが融合し、栄養バランスが優れるとともにベーコンの有する薫製風味が加味された新規のかまぼこ食品を製造することができる。
【発明を実施するための最良の形態】
【０００９】
本発明に係るベーコン巻きのかまぼこの製造方法例を以下図面に基づいて説明する。
例えば、スケソウダラの冷凍すり身を解凍したすり身を準備する。
なお、すり身は魚肉から製肉、すり出した生すり身であってもよい。
解凍したすり身は、らいかいし、次に水及び塩等の調味料、また必要に応じてエキス、でんぷん等の副原料を添加し攪拌する。
この場合に、ねり調整用の水に海洋深層水を原水としてマイナスイオン化処理したイオン水を用いてもよく、つぶ状のチーズを混合してもよい。
つぶ状のチーズを混合すると乳製品の風味が加わるとともに新たな食感が得られる。
このようにして得られたすり身２を容器５に入れて準備した状態を図１に示す。
なお、本実施例においてはスケソウダラの冷凍すり身２０ｋｇに対して、水やエキス、調味料を加えて、さらにつぶ状のチーズ１．３ｋｇを混合し、全体量が４０ｋｇになるように調整した。
水の量は、冷凍すり身の質量１００に対して５０〜１００の間が良く、水の量が少ないと後述するベーコンに層状に塗り広げるのが困難になり、水の量が多いとベーコンの脂肪により巻き付きが悪くなる。
またチーズの量は、すり身の質量２０ｋｇに対して０．５〜２．０ｋｇの範囲がよく、チーズのつぶ量が多いと食感が低下する。
図１に示すように、予め容器３に準備したベーコン１をまないた等のベース台４に広げる。
【００１０】
次に、図２に示すようにヘラ状の調理器具６ですり身２をすくいとり、ベース台４の上に広げたベーコン１の上に塗るように層状に広げて層状すり身２ａにする。
次に、図３及び図４に示すようにベーコン１の一端を調理器具６のヘラ６ａの部分で持ち上げるようにして他端に向けてロール状に巻き込み、ベーコンの間にすり身が挟まれたロール状素材１０を得る。
このとき、余分なすり身２ｂはヘラ部分６ａで取り除き容器５に戻す。
このようにして得られたロール状素材１０を８０〜１００℃に加熱し、ゲル化することでベーコン巻きかまぼこを得る。
その後は冷却し包装をする。また、必要に応じて二次加熱殺菌処理する。
【図面の簡単な説明】
【００１１】
【図１】ベーコンを広げた状態を示す。
【図２】すり身をベーコンの上に広げた状態を示す。
【図３】ロール状に成形する状態を示す。
【図４】ロール状に仕上げた状態を示す。
【符号の説明】
【００１２】
１      ベーコン
２      すり身
１０    ロール状素材
【図１】
2008043286.tif 000003
【図２】
2008043286.tif 000004
【図３】
2008043286.tif 000005
【図４】
2008043286.tif 000006
(57)【要約】【課題】このレースは２チームがそれぞれのバトンをいち早くゴールまで運ぶのを競うものだが差がひらいた時の単調な展開を解消するために、２種類のコースを設けて先回りによる妨害の機会をつくることによって多様に展開するレースゲームを提供する。【解決手段】  ２種類のコースのうち外側のコース１ではチーム内で自由にバトンをパスして走れるが、近道になる内側のコース２にはバトンを持っては入れないルールを設ける。そしてＢチームのバトン７をもつ走者１０がAチームのバトン３をもつ走者４に差をつけられた場合など、バトンを持っていないBチームメンバー９を内側のコース２に入らせ先回りして妨害し遅らせれば差が縮まり抜きつ抜かれつの展開になる可能性が高まる。【選択図】図１
2008043412.tif 000002
【特許請求の範囲】
【請求項１】
主に外側にあるコースと主に近道になる内側のコースの２種類の競走路。
【請求項２】
主に外側にあるコースではチーム内で自由にバトンをパスして走れるが、主に近道になる内側のコース内にはバトンをもっては入れないルール内で、２組のチームがそれぞれのバトンをいちはやくゴールまで運ぶのを競走するレースゲーム。
【発明の詳細な説明】
【技術分野】
【０００１】
本発明は、レース場に２種類のコースをもうけてバトンをパスしながら競走するチーム戦のレースゲームに関するものである。
【背景技術】
【０００２】
従来は、２種類のコースの中でバトンをパスしながら競走するレースゲームはなかった。
【発明の開示】
【発明が解決しようとする課題】
【０００３】
レースゲームでは差がひらいてしまった場合、追いつき抜き去ることは難しくそのまま単調な展開でレースが終わってしまいがちである。
【課題を解決するための手段】
【０００４】
レース場に２種類のコースをもうけて、チーム内のバトンをもってない走者は２種類どちらのコースにも入れるが、チーム内のバトンを持っている走者は近道になる内側のコース内には入れないルールをつくる。
【発明の効果】
【０００５】
２チームのバトン走者間が大きくひらいてしまった時など、遅れたチームはバトン不所持走者を近道になる内側のコースに入らせ先回りさせて相手バトン走者の前にでて妨害するなどのことをして遅らせると、バトン走者間の距離は縮まり追いつくことが容易になり抜きつ抜かれつの展開になる可能性が高まる。
【発明を実施するための最良の形態】
【０００６】
先回りをしやすくするために内側のコースは、外側のコースより内側の位置で短めの距離がよい。
【実施例１】
【０００７】
図１は、本発明のレース場の全体図のいち例で、１は外側のコース、２の点線は内側のコースである。３はAチームのバトンで４〜６はAチームのメンバー。７はBチームのバトンで８〜１０はBチームのメンバー。図１では、Ｂチームのバトン７をもつ走者１０がAチームのバトン３をもつ走者４に差をつけられて追いつくことが難しい時、Bチームメンバー９を近道になるコース２に入らせ先回りして妨害し遅らせれば走者間１０と４の差は縮まる。また走者１０のスピードが落ちてきたら、バトン７を近くの味方の走者８にパスして走らせれば差はより縮まる可能性が高まる。
【産業上の利用可能性】
【０００８】
主にテレビゲーム上で競走するのが適当。
【図面の簡単な説明】
【０００９】
【図１】本発明のレースゲームを展開させた時の、上空からみたレース場の全体図である。
【符号の説明】
【００１０】
１    外側のコース
２    内側のコース
３    Aチームのバトン
４    Aチームの１走者
５    Aチームの２走者
６    Aチームの３走者
７    B チームのバトン
８    B チームの１走者
９    B チームの２走者
１０  Bチームの３走者
【図１】
2008043412.tif 000003
(57)【要約】【課題】  健康スリッパは、足の裏を押圧する凹凸の間にホコリやアカが溜り易く、溜まったホコリやアカを取り除くことも困難であるため、非常に不衛生である。又、ホコリアレルギーの原因にもなる。凹凸の間に溜まったホコリやアカを取り除くために、スリッパ全体を水洗いするとスリッパが傷み易く、乾きも悪い。このような不都合を解決することを課題とする。【解決手段】  足の裏を押圧する凹凸部分を取外し可能にして、凹凸部分を水洗いできることにより、この課題を解決する。【選択図】図１
2008043623.tif 000002
【特許請求の範囲】
【請求項１】
足の裏を押圧する凹凸部分を取外しできる特徴の健康スリッパ。
【発明の詳細な説明】
【技術分野】
【０００１】
本発明は、健康スリッパに関するものであり、構造に工夫を加えることによって、足の裏を押圧する凹凸部分を取外し水洗いできることにより、健康スリッパを清潔に保つためのものである。
【背景技術】
【０００２】
従来から、健康スリッパとして、足の裏を押圧する凹凸を配列して利用されている。この例として、特許文献１に開示されているものがある。
【特許文献１】特開２００６−１１０２７１号公報
【非特許文献１】特になし。
【発明の開示】
【発明が解決しようとする課題】
【０００３】
しかし、従来のような健康スリッパでは、足の裏を押圧する凹凸の間にホコリやアカが溜まり易く、溜まったホコリやアカを取り除くことも困難であるため、非常に不衛生である（図２参照）。又、ホコリアレルギーの原因にもなる。凹凸の間に溜まったホコリやアカを取り除くために、スリッパ全体を水洗いするとスリッパが傷み易く、乾きも悪い。本発明は、このような不都合を解決することを課題とする。
【課題を解決するための手段】
【０００４】
この課題を解決するための請求項目１の発明は、足の裏を押圧する凹凸部分を取外し可能にしたことを特徴とする、健康スリッパである。凹凸部分を取外せることにより、凹凸部分を水洗いできるため、健康スリッパを清潔に保つことができる。
【発明の効果】
【０００５】
本発明により、健康スリッパの凹凸の間にホコリやアカが溜まり不衛生になるという不都合はおきず、健康スリッパを衛生的に保つことができる。そのことにより、ホコリアレルギーも予防できる。又、スリッパ全体の水洗いによるスリッパの傷みを防止できる。
【発明を実施するための最良の形態】
【０００６】
図１は、健康スリッパの凹凸部分を取外し可能にしたことを特徴とする、健康スリッパの全体図である。同図に示すように、健康スリッパの凹凸部分を取外せることにより、凹凸部分を水洗いできるため、健康スリッパを清潔に保つことができる。
【０００７】
これら部品の材料は、樹脂、プラスチック等の通常のものでよい。又、形状の長さや厚み、穴の位地等に変更を加えたものとしてもよい。
【産業上の利用可能性】
【０００８】
本発明に係る健康スリッパは、工業的に量産する事が可能であるため、産業上の利用可能性を有する。
【図面の簡単な説明】
【０００９】
【図１】足の裏を押圧する凹凸部分を取外し可能した健康スリッパの全体図である。
【図２】健康スリッパの足の裏を押圧する凹凸部分の図である。
【符号の説明】
【００１０】
１        足の裏を押圧する凹凸部分
２        凹凸部分とスリッパ本体を結合する出っ張り
３        凹凸部分とスリッパ本体を結合する穴
４        健康スリッパ本体
５        凹凸部分の間に溜まったホコリやアカ
【図１】
2008043623.tif 000003
【図２】
2008043623.tif 000004
(57)【要約】【課題】  より実践に近い動きで打撃練習をできるようにするとともに、今までの限られた場所でしかできなかった練習を場所を選ばずできるようにする。また打撃が当たる部分を回転させることができるようにしたことによる遊戯性も加える。【解決手段】  打撃練習器具の軸を２本に分け湾曲した軸１を足に装着し、軸２の上下両端にパンチングボールを取り付けると共に中心に穴を開けボルト４で軸１と固定せずに接続する。【選択図】図１
2008043696.tif 000002
【特許請求の範囲】
【請求項１】
軸を練習者の足に装着できるようにした打撃練習器具であって練習者と打撃を受ける部分の距離を一定に保つために軸を湾曲させると共に、軸を通す金具と足に巻きつけるベルトを有する固定器具を付属した打撃練習器具。
【請求項２】
軸を２本に分けて上下両端にパンチングボールを取り付けて中心に楕円形の貫通穴を開けた軸と足に装着した湾曲した軸をボルトを通し固定せずに接続することによって打撃を受ける部分を回転させたり、上下反転させることができる打撃練習器具。
【発明の詳細な説明】
【技術分野】
【０００１】  本発明は、格闘技の練習や運動をするためのパンチングボール、サンドバッグ、その他の打撃練習器具に関する。
【背景技術】
【０００２】  従来、パンチングボールやサンドバッグ等の打撃練習器具は床や天井等に固定された状態で使用することを前提としていた。
【発明の開示】
【発明が解決しようとする課題】
【０００３】  上述の如く、従来技術に係る打撃練習器具は、床や天井等に固定された状態で使用することを前提としていたため練習者の移動できる範囲が打撃練習器具を中心とした一定の距離に限られていると共に屋外での練習には不向きであった。また練習器具自体が大きな動きをすることはなく練習者の動きも単調になりがちであった。
【発明の効果】
【０００４】  このようにすれば打撃練習器具は常に練習者の前面で不規則な動きをし、練習者の移動範囲に制限がなくなるので、より実戦に近い動きで練習することができるようになり、打撃が当たる部分を回転させたり上下反転させることもできるので遊戯性も向上する。
また運動場など屋外での練習も可能になる。
【発明を実施するための最良の形態】
【０００５】  本発明はより実戦に近い練習を可能にし遊戯性を向上させ、かつ屋外での練習も可能にした打撃練習器具で、それを図面について説明すれば、練習者の片足の脛部にベルト３を利用して金具５を取り付けた板４を装着し、打撃が当たる部分となるパンチングボール６と練習者との距離を一定に保つために湾曲させた軸１の下部を金具５に通し固定せずに接続し、パンチングボール６を上下両端に取り付けた軸２の中心に楕円形の貫通穴を開けボルト７を通し軸１の上部先端に接続したものである。
【図面の簡単な説明】
【０００６】
【図１】打撃練習器具の斜視図である。
【図２】打撃練習器具の平面図である。
【符号の説明】
【０００７】１  軸１
２  軸２
３  ベルト３
４  板４
５  金具５
６  パンチングボール６
７  ボルト７
【図１】
2008043696.tif 000003
【図２】
2008043696.tif 000004